(57)【要約】【課題】地震等の外部圧力によって天井材が脱落するのを防止して、鉄骨製屋根骨枠の傾斜角度に影響されることなく、該屋根骨枠に設けてある水平材である鉄骨製母屋に野縁受けを堅固に取り付ける。【解決手段】屋根材１の種々の勾配角度に傾斜して配設される鉄骨製屋根骨枠２に直交して取り付けられる鉄骨製母屋３に野縁受け懸架金具４を取り付け、懸架金具４に鉄骨製屋根骨枠２の長手方向に円弧状に湾曲する円弧状湾曲片５を一体形成し、円弧状湾曲片５にその湾曲方向に開口する長孔６を貫設し、円弧状湾曲片５の湾曲内面５ａに該内面５ａに沿って湾曲方向に摺動可能な板状湾曲ナット７を設け、板状湾曲ナット７に野縁受け懸架用の吊りボルト８が長孔６を貫通してねじ込まれてなる。【選択図】図２
2018017074.tif 000002
【特許請求の範囲】
【請求項１】
屋根材の勾配に合わせて種々の勾配角度に傾斜して配設される鉄骨製屋根骨枠に直交して水平材である鉄骨製母屋を固着し、この鉄骨製母屋に野縁受けを懸架するための野縁受け懸架装置において、鉄骨製母屋に野縁受け懸架金具が取り付けられ、該懸架金具には鉄骨製屋根骨枠の長手方向に円弧状に湾曲する円弧状湾曲片が一体形成されると共に、該円弧状湾曲片にはその湾曲方向に開口する長孔が貫設され、該円弧状湾曲片の湾曲内面には該内面に沿って湾曲方向に摺動可能な板状湾曲ナットが設けられ、該板状湾曲ナットに野縁受け懸架用の吊りボルトが前記長孔を貫通してねじ込まれてなる野縁受け懸架装置。
【請求項２】
前記鉄骨製母屋は、縦フランジ部と、その上部の上フランジ部と、その下部の下フランジ部と、上下フランジ部の先端部に開口部を挟んで互いに対向して突設される上下リップ部とからなるリップ付き溝形鋼からなり、該リップ付き溝形鋼からなる鉄骨製母屋に取り付けられる前記野縁受け懸架金具は、該母屋の下フランジ部の上面を押圧する押圧ボルトがねじ込まれる上片と、該上片の一端部から上記母屋の下リップ部に沿って下方に延びる縦片と、該縦片の下端部から円弧状に上向きに延びる前記円弧状湾曲片と、該円弧状湾曲片の上端部から前記下フランジ部の下面に当接する下片とを備え、前記下フランジ部の上面を押圧する前記押圧ボルトと、前記下フランジ部の下面に当接する下片及び下フランジ部とにわたってねじ込まれる固定ねじとによって前記野縁受け懸架金具が鉄骨製母屋に取り付けられてなる請求項１に記載の野縁受け懸架装置。
【請求項３】
前記野縁受け懸架金具の前記下片の先端部を延長して係合突起が形成され、該懸架金具の前記縦片に前記係合突起が係合する係合孔が形成されてなる請求項２に記載の野縁受け懸架装置。
【請求項４】
前記野縁受け懸架金具の円弧状湾曲片の湾曲外面に沿って板状湾曲座金が取り付けられ、前記吊りボルトが、円弧状湾曲片に貫設した前記長孔及び前記板状湾曲座金を貫通して前記板状湾曲ナットにねじ込まれると共に、ロックナットが前記吊りボルトにねじ込まれて該ロックナットが前記板状湾曲座金に圧接することによって前記吊りボルトが所定の懸架方向にロックされてなる請求項１〜３の何れかに記載の野縁受け懸架装置。
【請求項５】
前記板状湾曲座金の湾曲面のうち、前記ロックナットが圧接するナット圧接面は平坦面に形成されてなる請求項４に記載の野縁受け懸架装置。
【請求項６】
前記該懸架金具の円弧状湾曲片に貫設した長孔を貫通して前記板状湾曲ナットにねじ込まれた前記吊りボルトは、鉄骨製屋根骨枠の傾斜角度に影響されることなく前記長孔に案内されて垂直に吊り下げられ、ハンガーを介して野縁受けを懸架してなる請求項１〜５の何れかに記載の野縁受け懸架装置。
【請求項７】
少なくとも一対の鉄骨製母屋に夫々取り付けられた前記野縁受け懸架金具に夫々吊りボルトが吊り下げられ、これら一対の吊りボルトは、夫々短尺な羽子板ボルトからなり、該羽子板ボルトにチャッネル鋼板からなる振れ止め用筋交いが連結されて、一対の筋交いは、夫々吊りボルトを介して前記懸架金具に互いに左右反対方向に傾斜して吊り下げられ、両筋交いの下端部が野縁受けに固着具によって固着されてなる請求項１〜５の何れかに記載の野縁受け懸架装置。
【請求項８】
野縁受け懸架金具を形成するための帯板状の打ち抜き金属板は、長孔付きの円弧状湾曲片に相当する部分と、係合孔付きの縦片に相当する部分と、縦片の上端部の折り込み線によって折り込まれるねじ孔付きの上片と、円弧状湾曲片の他端部の折り込み線によって折り込まれる挿通孔付きの下片とからなる請求項１〜７の何れかに記載の野縁受け懸架装置。
【発明の詳細な説明】
【技術分野】
【０００１】
本発明は、屋根材の勾配に合わせて種々の勾配角度に傾斜して配設される鉄骨製屋根骨枠の傾斜角度に影響されることなくこれに取り付けられる鉄骨製母屋に野縁受けを懸架するための野縁受け懸架装置に関する。
【背景技術】
【０００２】
従来、屋根材の勾配に合わせて種々の勾配角度に傾斜して配設される鉄骨製屋根骨枠(2)を有する鉄骨製建物内の天井材を吊持するための野縁受け懸架装置はあまり見られないが、例えば、天井材落下防止装置としては、特許第３８１７３４６号に係る従来技術が存在する。この従来技術は、屋根下地や屋根ボード等の屋根材の 勾配に合わせて種々の勾配角度に傾斜して配設される鉄骨製屋根骨枠の上面に、これに直交して鉄骨製母屋が取り付けられ、この鉄骨製屋根骨枠に直接に取り付けられる板状の第１部材と、天井吊りボルトが取り付けられる板状の第２部材とを重ね合わせて両者をその中心部を軸心として垂直面内を回転可能に枢着し、第１部材に対して第２部材をその中心部を回転中心として回転調整して、該第２部材に天井吊りボルトを垂直に吊持させるようにしている。この従来技術であると、地震の際の衝撃や振動によって第２部材が第１部材に対して回転揺動して第２部材に取り付けられる天井吊りボルトが左右に大きく揺動する危険性があり、天井吊りボルトの揺動によって、これに吊持される天井材が破壊、落下する大きな要因となり、又、第１部材と第２部材を、その回転中心部に枢着するために構造が複雑で製作費が高くつく難点があった。なお、周知のように、天井吊りボルトの下端部にハンガーを介して野縁受けが取り付けられ、該野縁受けにフック部材を介して野縁が取り付けられ、該野縁に天井材が取り付けられるようになっている。
【発明の概要】
【発明が解決しようとする課題】
【０００３】
本発明は、上記従来技術のように、地震等の外部圧力によって天井材が脱落するのを防止して、鉄骨製屋根骨枠の傾斜角度に影響されることなく、該屋根骨枠に設けてある水平材である鉄骨製母屋に野縁受けを堅固に懸架するための野縁受け懸架装置を提案することを課題とする。
【課題を解決するための手段】
【０００４】
上記課題を解決するための手段を、後述する実施形態の参照符号を付して説明すると、請求項１に係る野縁受け懸架装置は、屋根材１の勾配に合わせて種々の勾配角度に傾斜して配設される鉄骨製屋根骨枠２に直交して水平材である鉄骨製母屋３を固着し、この鉄骨製母屋３に野縁受けＵを懸架するための野縁受け懸架装置において、鉄骨製母屋３に野縁受け懸架金具４が取り付けられ、該懸架金具４には鉄骨製屋根骨枠２の長手方向に円弧状に湾曲する円弧状湾曲片５が一体形成されると共に、該円弧状湾曲片５にはその湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７に野縁受け懸架用の吊りボルト８が前記長孔６を貫通してねじ込まれてなる構成からなる。
【０００５】
請求項２に係る発明は、前記鉄骨製母屋３は、縦フランジ部３ａと、その上部の上フランジ部３ｂと、その下部の下フランジ部３ｃと、上下フランジ部３ｂ，３ｃの先端部に開口部３ｄを挟んで互いに対向して突設される上下リップ部３ｅ，３ｆとからなるリップ付き溝形鋼からなり、該リップ付き溝形鋼からなる鉄骨製母屋３に取り付けられる前記野縁受け懸架金具４は、該母屋３の下フランジ部３ｃの上面を押圧する押圧ボルト９がねじ込まれる上片４ａと、上片４ａの一端部から上記母屋３の下リップ部３ｆに沿って下方に延びる縦片４ｂと、該縦片４ｂの下端部から円弧状に上向きに延びる前記円弧状湾曲片５と、該円弧状湾曲片５の上端部から前記下フランジ部３ｃの下面に当接する下片４ｃとを備え、前記下フランジ部３ｃの上面を押圧する前記押圧ボルト９と、前記下フランジ部３ｃの下面に当接する下片４ｃ及び下フランジ部３ｃとにわたってねじ込まれる固定ねじ１０とによって前記野縁受け懸架金具４が鉄骨製母屋３に取り付けられてなる請求項１に記載の構成からなる。
【０００６】
請求項３に係る発明は、前記野縁受け懸架金具４の前記下片４ｃの先端部を延長して係合突起４ｄが形成され、該懸架金具４の前記縦片４ｂに前記係合突起４ｄが係合する係合孔４ｅが形成されてなる請求項２に記載の構成からなる。
【０００７】
請求項４に係る発明は、前記野縁受け懸架金具４の円弧状湾曲片５の湾曲外面５ｂに沿って板状湾曲座金１１が取り付けられ、前記吊りボルト８が、円弧状湾曲片５に貫設した前記長孔６及び前記板状湾曲座金１１を貫通して前記板状湾曲ナット７にねじ込まれると共に、ロックナット１２が前記吊りボルト８にねじ込まれて該ロックナット１２が前記板状湾曲座金１１に圧接することによって前記吊りボルト８が所定の懸架方向にロックされてなる請求項１〜３の何れかに記載の構成からなる。
【０００８】
請求項５に係る発明は、前記板状湾曲座金１１の湾曲面のうち、前記ロックナット１２が圧接するナット圧接面は平坦面１１ａに形成されてなる請求項４に記載の構成からなる。
【０００９】
請求項６に係る発明は、前記該懸架金具４の円弧状湾曲片５に貫設した長孔６を貫通して前記板状湾曲ナット７にねじ込まれた前記吊りボルト８は、鉄骨製屋根骨枠２の傾斜角度に影響されることなく前記長孔６に案内されて垂直に吊り下げられ、ハンガー１３を介して野縁受けＵを懸架してなる請求項１〜５の何れかに記載の構成からなる。
【００１０】
請求項７に係る発明は、図１０に示すように、少なくとも一対の鉄骨製母屋３，３に夫々取り付けられた前記野縁受け懸架金具４，４に夫々吊りボルト８，８が吊り下げられ、これら一対の吊りボルト８，８は、夫々短尺な羽子板ボルト１４からなり、該羽子板ボルト１４にチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵに固着具１６によって固着されてなる請求項１〜５の何れかに記載の構成からなる。
【００１１】
請求項８に係る発明は、野縁受け懸架金具４を形成するための帯板状の打ち抜き金属板４Ａは、長孔６付きの円弧状湾曲片５に相当する部分と、係合孔４ｅ付きの縦片４ｂに相当する部分と、縦片４ｂの上端部の折り込み線２０によって折り込まれるねじ孔１８付きの上片４ａと、円弧状湾曲片５の他端部の折り込み線２１によって折り込まれる挿通孔１９付きの下片４ｃからなる請求項１〜４の何れかに記載の構成からなる。
【発明の効果】
【００１２】
請求項１に係る発明よれば、屋根材１の勾配に合わせて種々の勾配角度に傾斜して配設される鉄骨製屋根骨枠２に直交して取り付けられた水平材である鉄骨製母屋３に野縁受け懸架金具４が取り付けられ、該懸架金具４には鉄骨製屋根骨枠２の長手方向に円弧状に湾曲する円弧状湾曲片５が一体形成されると共に、該円弧状湾曲片５にはその湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７に野縁受け懸架用の吊りボルト８が前記長孔６を貫通してねじ込まれるようになっているため、鉄骨製屋根骨枠２が種々の勾配角度に傾斜して配設されることによって、これに取り付けられる鉄骨製母屋３及び野縁受け懸架金具４の傾斜角度が変わっても、板状湾曲ナット７は、懸架金具４の円弧状湾曲片５に案内されて摺動し所望位置に保持されるため、板状湾曲ナット７にねじ込まれている吊りボルト８は、垂直に吊り下げられるか、あるいは所望の傾斜角度に吊り下げられて、その下端部を野縁受けＵに正確に固着することができる。しかも、吊りボルト８は、板状湾曲ナット７にねじ込まれることによって、野縁受け懸架金具４に確実に強固に連結されることになり、外部からの衝撃や振動によって、吊りボルト８が野縁受け懸架金具４から脱落することはない。
【００１３】
請求項２に係る発明によれば、リップ付き溝形鋼からなる鉄骨製母屋３に取り付けられる前記野縁受け懸架金具４は、該母屋３の下フランジ部３ｃの上面を押圧する前記押圧ボルト９と、前記下フランジ部３ｃの下面に当接する下片４ｃ及び下フランジ部３ｃとにわたってねじ込まれる固定ねじ１０とによって鉄骨製母屋３に取り付けられてなるため、野縁受け懸架金具４は鉄骨製母屋３に強固に取り付けられることになり、外部からの衝撃や振動によって、野縁受け懸架金具４が鉄骨製母屋３から脱落することはない。
【００１４】
請求項３に係る発明は、前記野縁受け懸架金具４の前記下片４ｃの先端部を延長して係合突起４ｄが形成され、該懸架金具４の前記縦片４ｂに前記係合突起４ｄが係合する係合孔４ｅが形成されてなるため、該懸架金具４の下片４ｃの両端は円弧状湾曲片５と縦片４ｂとに支持されて、該下片４ｃに下向きの負荷がかかってもその変形を阻止する作用を発揮することができる。
【００１５】
請求項４に係る発明によれば、前記野縁受け懸架金具４の円弧状湾曲片５の湾曲外面５ｂに沿って板状湾曲座金１１が取り付けられ、前記吊りボルト８が、円弧状湾曲片５に貫設した前記長孔６及び前記板状湾曲座金１１を貫通して前記板状湾曲ナット７にねじ込まれると共に、ロックナット１２が前記吊りボルト８にねじ込まれて該ロックナット１２が前記板状湾曲座金１１に圧接することによって前記吊りボルト８が所定の懸架方向にロックされてなるため、前記吊りボルト８は、円弧状湾曲片５に取り付けられる板状湾曲座金１１とこれに圧接するロックナット１２によって、垂直方向又は傾斜方向の所望の懸架方向に確実に維持され、外部からの衝撃や振動によって、吊りボルト８の懸架方向が不測に変動することはない。
【００１６】
請求項５に係る発明によれば、、前記板状湾曲座金１１の湾曲面のうち、前記ロックナット１２が圧接するナット圧接面は平坦面１１ａに形成されてなるため、ロックナット１２は板状湾曲座金１１に確実に面接触してそのロック作用を有効に発揮することができる。
【００１７】
請求項６に係る発明によれば、前記該懸架金具４の円弧状湾曲片５に貫設した長孔６を貫通して前記板状湾曲ナット７にねじ込まれた前記吊りボルト８は、鉄骨製屋根骨枠２の傾斜角度に影響されることなく前記長孔６に案内されて垂直に吊り下げられ、ハンガー１３を介して野縁受けＵを懸架してなるため、野縁受けＵは、無理なく吊りボルト８に吊持される。
【００１８】
請求項７に係る発明によれば、図１０に示すように、少なくとも一対の鉄骨製母屋３，３に夫々取り付けられた前記野縁受け懸架金具４，４に夫々吊りボルト８，８が吊り下げられ、これら一対の吊りボルト８，８は、夫々短尺な羽子板ボルト１４からなり、該羽子板ボルト１４にチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵに固着具１６によって固着されてなるため、一対の振れ止め用筋交い１５によって野縁受けＵを吊持することができると共に、外部からの衝撃や振動を受けても、一対の振れ止め用筋交い１５の補強作用によって、野縁受けＵは動揺することなく吊持され、野縁受けＵに野縁を介して取り付けられる天井材の脱落を防止することができる。
【００１９】
請求項８に係る発明によれば、野縁受け懸架金具４を形成するための帯板状の打ち抜き金属板４Ａは、長孔６付きの円弧状湾曲片５に相当する部分と、係合孔４ｅ付きの縦片４ｂに相当する部分と、縦片４ｂの上端部の折り込み線２０によって折り込まれるねじ孔１８付きの上片４ａと、円弧状湾曲片５の他端部の折り込み線２１によって折り込まれる挿通孔１９付きの下片４ｃからなるため、鋼板などの金属板の打ち加工によって上記一連の構成部分を一体形成することができ、その後は打ち抜き金属板を折り込み加工するだけで製品とすることができるから非常に安価に製作することができる。
【図面の簡単な説明】
【００２０】
【図１】本発明に係る野縁受け懸架装置の使用状態説明図である。
【図２】本発明の要部の使用状態を示す拡大正面図である。
【図３】図２のＡーＡ線断面図である。（ｂ）は、同ＢーＢ線断面図である。
【図４】図２のＢーＢ線断面図である。
【図５】同斜視図である。
【図６】同分解斜視図である。
【図７】同要部の拡大斜視図である。
【図８】同分解斜視図である。
【図９】本発明の要部の他の使用状態を示す拡大正面図である。
【図１０】本発明に係る野縁受け懸架装置の他の実施形態の使用状態説明図である。
【図１１】同要部の野縁受け懸架金具の展開図である。
【発明を実施するための形態】
【００２１】
以下に本発明の好適な実施形態を図面に基づいて説明すると、図１は、本発明に係る野縁受け懸架装置の使用状態を示すものである。
【００２２】
従来から勾配屋根として、屋根下地や屋根ボード等からなる屋根材１が種々の勾配角度に形成されている。この種々の勾配角度に合わせて傾斜して高所から低部に向かって桁材として鉄骨製屋根骨枠２が配設されており、この鉄骨製屋根骨枠２の上面に直交して水平材である鉄骨製母屋３が従来技術と同じように適当な止着具１７によって固着されている。
【００２３】
本発明は、図１に示すように、鉄骨製屋根骨枠２に傾斜して取り付けられた鉄骨製母屋３に野縁受け懸架装置を装備するようにしたものである。
【００２４】
この野縁受け懸架装置は、傾斜状に配備された鉄骨製母屋３に野縁受け懸架金具４が取り付けられ、該懸架金具４に鉄骨製屋根骨枠２の長手方向に円弧状に湾曲する円弧状湾曲片５が一体形成され、これに後述のように野縁受け懸架用の吊りボルト８が連結され、該吊りボルト８の下端部８ａにハンガー１３によって野縁受けＵを吊持し、該野縁受けＵにクリップＣを介して野縁Ｎを取り付け、これに天井材Ｔをビスや接着材によって取り付けられるようになっている。
【００２５】
鉄骨製母屋３は周知のもので、図２に示すように、縦フランジ部３ａとその上部の上フランジ部３ｂとその下部の下フランジ部３ｃと上下フランジ部３ｂ，３ｃの先端部に開口部３ｄを挟んで互いに対向して突設される上下リップ部３ｅ，３ｆとからなり、夫々のコーナー部が直角に形成されたリップ付き溝形鋼からなり、該リップ付き溝形鋼からなる鉄骨製母屋３に取り付けられる前記野縁受け懸架金具４は、該母屋３の下フランジ部３ｃの上面を押圧する押圧ボルト９がねじ孔１８（図６）にねじ込まれる上片４ａと、上片４ａの一端部から上記母屋３の下リップ部３ｆに沿って下方に延びる縦片４ｂと、該縦片４ｂの下端部から円弧状に上向きに延びる前記円弧状湾曲片５と、該円弧状湾曲片５の上端部から前記下フランジ部３ｃの下面に当接する下片４ｃとを備え、前記下フランジ部３ｃを挟んで該下フランジ部３ｃの上面を押圧する前記押圧ボルト９と、前記下フランジ部３ｃの下面に当接する下片４ｃの挿通孔１９（図６）を挿通して下フランジ部３ｃのねじ孔１０ａにねじ込まれる固定ねじ１０とによって前記野縁受け懸架金具４が鉄骨製母屋３に取り付けられている。
【００２６】
このように、野縁受け懸架金具４は、鉄骨製母屋３の下フランジ部３ｃを挟んで、該懸架金具４の上片４ａを貫通する押圧ボルト９が下フランジ部３ｃの上面側を押圧し、該懸架金具４の下片４ｃを貫通する固定ねじ１０が下フランジ部３ｃにねじ込まれることによって、鉄骨製母屋３に強固に取り付けられることになる。又、該懸架金具４の下片４ｃの先端部を延長して係合突起４ｄが形成されると共に、該懸架金具４の前記縦片４ｂに係合孔４ｅが形成され、係合突起４ｄが係合孔４ｅに係合することによって、該懸架金具４の下片４ｃの両端は円弧状湾曲片５と縦片４ｂとに支持されて、該下片４ｃに下向きの負荷がかかってもその変形を阻止する作用を発揮することができる。
【００２７】
そして、図２、図４、図５、図６、図７、図８又は図９に示すように、野縁受け懸架金具４の下部に円弧状湾曲片５が一体形成されると共に、該円弧状湾曲片５にはその湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７のねじ孔７ａ（図８）に野縁受け懸架用の吊りボルト８が前記長孔６を貫通してねじ込まれている。
【００２８】
又、野縁受け懸架金具４の円弧状湾曲片５の湾曲外面５ｂに沿って板状湾曲座金１１が当て付けられ、前記吊りボルト８が、円弧状湾曲片５に貫設した前記長孔６及び前記板状湾曲座金１１に設けた貫通孔１１ｂを貫通して前記板状湾曲ナット７のねじ孔７ａにねじ込まれると共に、ロックナット１２が前記吊りボルト８にねじ込まれて該ロックナット１２が前記板状湾曲座金１１に圧接することによって前記吊りボルト８が所定の懸架方向にロックされるようになっている。なお、野縁受け懸架金具４が図中右上がりの傾斜状態に取り付けられるため、円弧状湾曲片５に形成される長孔６は右側に大きく延びるため、この長孔６を塞ぐための板状湾曲座金１１はその平坦面１１ａより右側に偏心して配置されている。
【００２９】
なお、図８の分解図に示すように、前記板状湾曲座金１１の湾曲面のうち、前記ロックナット１２が圧接するナット圧接面は平坦面１１ａに形成されており、ロックナット１２が板状湾曲座金１１に圧接する際に、該平坦面１１ａに確実に面接触してそのロック作用を有効に発揮するようになっている。
【００３０】
このように、前記該懸架金具４の円弧状湾曲片５に貫設した長孔６を貫通して前記板状湾曲ナット７にねじ込まれた前記吊りボルト８は、鉄骨製屋根骨枠２の傾斜角度に影響されることなく前記長孔６に案内されて垂直に吊り下げられ、ハンガー１３を介して野縁受けＵを懸架し、これに直交して取り付けられた野縁Ｎを介して天井材Ｔが吊持されるようになっている。
【００３１】
図９は、図２と同じように、傾斜状の鉄骨製屋根骨枠２の上面に鉄骨製母屋３を取り付け、これに野縁受け懸架金具４を取り付けるようにした点で同じであるが、図２では、該懸架金具４は、鉄骨製母屋３の開口部３ｄが鉄骨製屋根骨枠２の上り傾斜側に向いた状態の鉄骨製母屋３に取り付けられるようになっているが、図９に示す使用形態では、鉄骨製母屋３の開口部３ｄが鉄骨製屋根骨枠２の下り傾斜側に向いた状態の鉄骨製母屋３に取り付けるようにしたものである。そして、その取付構造については、図２と同じであるから説明を省略するが、図９では、野縁受け懸架金具４が図中左上がりの傾斜状態に設けられるため、図２とは反対に円弧状湾曲片５に形成される長孔６は左側に大きく延びるため、この長孔６を塞ぐための板状湾曲座金１１はその平坦面１１ａより左側に偏心して配置されている。
【００３２】
図１０は、野縁受け懸架金具４の他の実施形態の使用状態を示すもので、鉄骨製屋根骨枠２にその長手方向に適当間隔に取り付けられている鉄骨製母屋３のうち、隣り合う一対の鉄骨製母屋３，３か、あるいは図示のように一つの鉄骨製母屋３を挟んでその左右に隣り合って取り付けられている一対の野縁受け懸架金具４，４に夫々吊りボルト８，８が吊り下げられ、これら一対の吊りボルト８，８は、夫々短尺な羽子板ボルト１４からなり、該羽子板ボルト１４にビス等の固着具２２によってチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵに、固着具であるビス１６によって固着されてなる。
【００３３】
このように、この実施形態によれば、鉄骨製母屋３の傾斜角度如何によらず、少なくとも一対の振れ止め用筋交い１５，１５を野縁受け懸架金具４に取り付けることができ、これらの筋交い１５，１５によって野縁受けＵを吊持することができると共に、外部からの衝撃や振動を受けても、一対の振れ止め用筋交い１５による補強作用により、野縁受けＵは動揺することなく吊持され、野縁受けＵに野縁を介して取り付けられる天井材の脱落を防止することができる。
【００３４】
図１１は、野縁受け懸架金具４を製作するために展開状態の帯板状の打ち抜き金属板４Ａを示し、長孔６付きの円弧状湾曲片５に相当する部分と、係合孔４ｅ付きの縦片４ｂに相当する部分と、ねじ孔１８付きの上片４ａと、挿通孔１９付きの下片４ｃとが切り抜き形成され、縦片４ｂと上片４ａとを折り込み線２０で折り込み、円弧状湾曲片５と下片４ｃとを折り込み線２１で折り込むことによって、円弧状湾曲片５の一端部に縦片４ｂが形成され、縦片４ｂの上端部に上片４ａが形成され、円弧状湾曲片５の他端部に下片４ｃが形成され、上片４ａに押圧ボルト９をねじ込むためのねじ孔１８が形成され、下片４ｃに固定ねじ１０を挿通させるための挿通孔１９が形成され、縦片４ｂに係合突起４ｄを係合するための係合孔４ｅが形成されることになる。
【００３５】
このように、野縁受け懸架金具４を、帯板状の打ち抜き金属板４Ａに対して打ち抜きプレス機による打ち抜き加工と曲げ加工機による曲げ加工によって製作することができるから、安価に製作することが可能である。
【００３６】
なお、本発明において、屋根材１の勾配に合わせて種々の勾配角度に傾斜して配設される鉄骨製屋根骨枠２は、屋根材１が陸屋根のように水平である場合、即ち勾配角度が零の場合も含まれることはいうまでもない。
【符号の説明】
【００３７】
１      屋根材
２      鉄骨製屋根骨枠
３      鉄骨製母屋
３ａ    縦フランジ部
３ｂ    上フランジ部
３ｃ    下フランジ部
３ｄ    開口部
３ｅ    上リップ部
３ｆ    下リップ部
４      野縁受け懸架金具
４ａ    上片
４ｂ    縦片
４ｃ    下片
５      円弧状湾曲片
５ａ    湾曲内面
５ｂ    湾曲外面
６      長孔
７      板状湾曲ナット
８      吊りボルト
８ａ    吊りボルトの下端部
９      押圧ボルト
１０    固定ねじ
１１    板状湾曲座金
１１ａ  板状湾曲座金の平坦面
１２    ロックナット
１３    ハンガー
１４    羽子板ボルト
１５    振れ止め用筋交い
１５ａ  振れ止め用筋交いの下端部
１６    固着具
Ｕ      野縁受け
【図１】
2018017074.tif 000003
【図２】
2018017074.tif 000004
【図３】
2018017074.tif 000005
【図４】
2018017074.tif 000006
【図５】
2018017074.tif 000007
【図６】
2018017074.tif 000008
【図７】
2018017074.tif 000009
【図８】
2018017074.tif 000010
【図９】
2018017074.tif 000011
【図１０】
2018017074.tif 000012
【図１１】
2018017074.tif 000013